(57)【特許請求の範囲】
【請求項１】
熱交換器（３０）用の媒体シート（５０）であって、当該媒体シート（５０）が、
第１の外表面（７２）を有する第１の層（７０）と、
第２の外表面（７６）を有する第２の層（７４）と、
第１の外表面（７２）及び第２の外表面（７６）によって画成される端縁に接続されるマウント（５８）であって、媒体シート（５０）を熱交換器（３０）内に取付けるための複数のスロット（６０）を含むマウント（５８）と
を含んでおり、第１の層（７０）及び第２の層（７４）がそれらの間に延在する複数の通路（８０）を画成しており、第１及び第２の外表面（７２，７６）の少なくとも一方が複数の陥凹部（９０）を含んでいて、該複数の陥凹部（９０）がそれらの間に上記複数の通路（８０）をさらに画成していて第１の層（７０）と第２の層（７４）とが上記複数の陥凹部（９０）の各々で接触するように第１の層（７０）と第２の層（７４）とを取付けることによって上記複数の通路（８０）が形成されており、当該媒体シート（５０）がポリマー繊維に基づくものであって濡れ性であり、吸気流れ（２２）が熱交換媒体（３２）と直接接触できるようにし、上記複数の通路（８０）の少なくとも一部分が各々、第１の外表面（７２）及び第２の外表面（７６）によって画成される端縁に位置する入口開口部（８４）であって熱交換媒体（３２）を受けるように構成された入口開口部（８４）を含んでいる、媒体シート（５０）。
【請求項２】
前記ポリマー繊維がポリアミド又はポリエステルを含む、請求項１記載の媒体シート（５０）。
【請求項３】
当該媒体シート（５０）が複合材を含む、請求項１又は請求項２記載の媒体シート（５０）。
【請求項４】
第１の外表面（７２）及び第２の外表面（７６）が共に前記複数の陥凹部（９０）を含む、請求項１乃至請求項３のいずれか１項記載の媒体シート（５０）。
【請求項５】
前記複数の通路（８０）の少なくとも一部分が各々、少なくとも１つの絞り部分（８２）を含む、請求項１乃至請求項４のいずれか１項記載の媒体シート（５０）。
【請求項６】
前記複数の通路（８０）の少なくとも一部分が流体連結される、請求項１乃至請求項５のいずれか１項記載の媒体シート（５０）。
【請求項７】
第１及び第２の層（７０，７４）が媒体シート周辺部（７８）をさらに画成しており、上記複数の陥凹部（９０）が、入口陥凹部（９２）及び出口陥凹部（９４）を含み、上記入口陥凹部（９２）及び出口陥凹部（９４）が各々、当該媒体シート（５０）の周辺部（７８）に隣接して形成される、請求項１乃至請求項６のいずれか１項記載の媒体シート（５０）。
【請求項８】
媒体パッド（３８）を備える熱交換器（３０）であって、
上記媒体パッド（３８）が、複数のポリマー繊維系濡れ性媒体シート（５０）を含んでおり、上記複数の媒体シート（５０）が、互いに間隔を置いて配置されて、それらの間に複数の吸気流れ通路（５２）を画成しており、上記複数の媒体シート（５０）の各々が、第１の外表面（７２）を有する第１の層（７０）と第２の外表面（７６）を有する第２の層（７４）とを含んでおり、上記複数の媒体シート（５０）の各々の第１の層（７０）及び第２の層（７４）がそれらの間に延在する複数の通路（８０）を画成し、上記複数の媒体シート（５０）の各々の第１及び第２の外表面（７２，７６）の少なくとも一方が複数の陥凹部（９０）を含んでいて、上記複数の陥凹部（９０）が、それらの間に上記複数の通路（８０）をさらに画成していて第１の層（７０）と第２の層（７４）とが上記複数の陥凹部（９０）の各々で接触するように第１の層（７０）と第２の層（７４）とを取付けることによって上記複数の通路（８０）が形成されており、
上記媒体パッド（３８）が、上記複数の媒体シート（５０）の少なくとも１つの端縁に接続されるマウント（５８）であって、媒体シート（５０）を熱交換器（３０）内に取付けるための複数のスロット（６０）を含むマウント（５８）をさらに含んでおり、
上記複数の媒体シート（５０）が各々、それを通して熱交換媒体（３２）を流すように構成され、かつ上記複数の吸気流れ通路（５２）が各々、それを通して吸気流れ（２２）を流すように構成されて、該吸気流れ（２２）が該熱交換媒体（３２）と直接接触できるようにしており、上記複数の媒体シート（５０）の少なくとも１つの複数の通路（８０）の少なくとも一部分が各々、その媒体シートの端縁に位置する入口開口部（８４）であって熱交換媒体（３２）を受けるように構成された入口開口部（８４）を含んでいる、熱交換器（３０）。
【請求項９】
複数のスペーサ（５４）をさらに含み、前記スペーサ（５４）が、前記吸気流れ通路（５２）を少なくとも部分的に形成する、請求項８記載の熱交換器（３０）。
【請求項１０】
前記ポリマー繊維がポリアミド又はポリエステルを含む、請求項８又は請求項９記載の熱交換器（３０）。
【請求項１１】
前記媒体シート（５０）が複合材を含む、請求項８乃至請求項１０のいずれか１項記載の熱交換器（３０）。
【発明の詳細な説明】
【技術分野】
【０００１】
本明細書に開示した主題は、総括的には熱交換器に関し、より具体的には、熱交換器における媒体パッドに関する。
【背景技術】
【０００２】
ガスタービンは、発電のような分野において広範に利用されている。従来型のガスタービンシステムは、周囲空気を加圧する圧縮機と、加圧空気を燃料と混合しかつその混合気を燃焼させるようになった燃焼器と、燃焼混合気によって駆動されて出力を生成しかつ排気ガスを発生するタービンとを含む。従来技術では、ガスタービンが生成することができる出力の量を増大させるための様々な方策が知られている。ガスタービンの出力を増大させる１つの方法は、圧縮機内で加圧する前に周囲空気を冷却することによるものである。冷却により、空気はより高い密度を有するようになり、それによって圧縮機内へのより大きい質量流量が形成される。圧縮機内への空気のより大きい質量流量により、より多くの空気を加圧することが可能になって、ガスタービンがより多くの出力を生成することが可能になる。加えて、周囲空気を冷却することは一般的に、ガスタービンの効率を高める。様々なシステム及び方法が、ガスタービンに流入する周囲空気を冷却するために利用される。例えば、熱交換器を利用して、潜熱冷却（latent cooling）又は顕熱冷却（sensible cooling）により周囲空気を冷却することができる。多くのそのような熱交換器は、媒体パッドを利用して周囲空気の冷却を可能にする。それらの媒体パッドは、周囲空気及び冷却媒体間の熱伝達及び／又は質量移動を可能にする。周囲空気は、媒体パッド内で該周囲空気を冷却する冷却媒体と相互作用する。
【０００３】
熱交換器内で使用する公知の媒体パッドは、例えばセルロース繊維で形成される。セルロース繊維系の媒体パッドは一般的に、該媒体パッドを通して水のような冷却媒体を流した時に該媒体パッドの構造的一体性を維持するように設計された硬化剤を含む。しかしながら、セルロース繊維系の媒体パッドは一般的に、硬化剤を溶解しかつ媒体パッドを崩壊させる可能性がある大量の冷却媒体を必要とする状況には適していない。さらに、セルロース繊維系の媒体パッドは、それを通して流れる冷却媒体の性質に特に敏感である可能性があり、従って該媒体パッドを適切に機能させるためには清浄な冷却媒体よりも「清浄でない」冷却媒体の使用を必要とする可能性がある。
【０００４】
その他の公知の媒体パッドは、無孔で中実のプラスチック材料で形成される。これらの媒体パッドは一般的に、該パッドの表面積全体にわたって均一にかつ充分に冷却媒体を分散させることができない。このことは、周囲空気の効率的な冷却を妨げるおそれがあり、幾つかのケースではガスタービン圧縮機の作動に有害なものとなるおそれがある空気のホットストリークを引起こすドライスポットを生じる可能性がある。加えて、比較的より高い空気流れ速度において、これらの媒体パッドは冷却媒体を保持できなくなる可能性があり、それどころか冷却媒体を発散させる傾向を有する可能性がある。
【先行技術文献】
【特許文献】
【０００５】
【特許文献１】米国特許第５１４３６５８号明細書
【発明の概要】
【発明が解決しようとする課題】
【０００６】
従って、当技術分野では、より効率的な冷却をもたらしかつ冷却媒体の性質に敏感でない媒体パッドが、望ましいと言える。加えて、それを通して多量の冷却媒体を流した時に構造的一体性を維持することになるような媒体パッドが、有利であると言える。さらに、ドライスポット及びその結果生じる高温ストリークを減少させるか又は防止する媒体パッドが、望ましいと言える。最後に、比較的より高い空気流れ速度において冷却媒体を保持する媒体パッドが、有利であると言える。
【０００７】
本発明の態様及び利点は、その一部が以下の説明の中に記載されることになり、或いはそれら説明から自明なものとして理解することができ、或いは本発明の実施により学ぶことができる。
【課題を解決するための手段】
【０００８】
一実施形態では、熱交換器用の媒体シートを開示する。本媒体シートは、第１の外表面を有する第１の層と第２の外表面を有する第２の層とを含む。第１及び第２の層は、それらの間で延在する複数の通路を画成する。第１及び第２の外表面の少なくとも１つは、複数の陥凹部を含む。複数の陥凹部はさらに、それらの間に該複数の通路を画成する。本媒体シートは、ポリマー繊維に基づくものであり、濡れ性である。
【０００９】
本発明のこれらの及びその他の特徴、態様及び利点は、以下の説明及び特許請求の範囲を参照することによってより良好に理解されるであろう。本明細書の一部として組入れられかつ本明細書の一部を構成した添付図面は、本発明の実施形態を示しており、詳細な説明と共に本発明の原理を説明するのに役立つ。
【００１０】
当業者を対象に、本発明のその最良の形態を含む完全かつ有効な開示を、添付図を参照した本明細書において説明する。
【図面の簡単な説明】
【００１１】
【図１】ガスタービンシステムの概略図。
【図２】本開示の媒体パッドの一実施形態の斜視図。
【図３】本開示の媒体シートの一実施形態の前面図。
【図４】本開示の媒体シートの別の実施形態の前面図。
【図５】本開示の媒体シートの別の実施形態の前面図。
【図６】本開示の媒体シートの別の実施形態の前面図。
【発明を実施するための形態】
【００１２】
次に、その１つ又はそれ以上の実施例を図面に示している本発明の実施形態について詳細に説明する。各実施例は、本発明の限定ではなくて本発明の説明として示している。実際には、本発明においてその技術的範囲及び技術思想から逸脱せずに様々な修正及び変更を加えることができることは、当業者には明らかであろう。例えば、一実施形態の一部として例示し又は説明した特徴要素は、別の実施形態で使用してさらに別の実施形態を生成することができる。従って、本発明は、そのような修正及び変更を特許請求の範囲及びその均等物の技術的範囲内に属するものとして保護することを意図している。
【００１３】
図１は、ガスタービンシステム１０の概略図である。システム１０は、圧縮機１２、燃焼器１４及びタービン１６を含むことができる。さらに、システム１０は、それぞれ複数の圧縮機１２、燃焼器１４及びタービン１６を含むことができる。圧縮機１２及びタービン１６は、シャフト１８によって結合することができる。シャフト１８は、単一のシャフト又は互いに結合されてシャフト１８を形成した複数のシャフトセグメントとすることができる。
【００１４】
システム１０はさらに、ガスタービン入口２０を含むことができる。入口２０は、吸気流れ２２を受けるように構成することができる。例えば、一実施形態では、入口２０は、ガスタービン吸気ハウジングとすることができる。それに代えて、入口２０は、吸気流れ２２を受けることができる圧縮機１２の部分又は圧縮機１２の上流の装置のようなシステム１０の部分とすることができる。例示的な実施形態では、吸気流れ２２は、周囲空気とすることができ、この周囲空気は、調整した状態のもの又は調整していない状態のものとすることができる。それに代えて、吸気流れ２２は、好適な流体とすることができ、好ましくは好適な気体とすることができる。
【００１５】
システム１０はさらに、排出出口２４を含むことができる。出口２４は、ガスタービン排気流れを吐出するように構成することができる。幾つかの実施形態では、排気流れ２６は、熱回収蒸気発生器（図示せず）に導くことができる。それに代えて、排気流れ２６は、例えば吸収式チラー（図示せず）に導くことができ、或いは周囲空気内に散逸させることができる。
【００１６】
システム１０はさらに、熱交換器３０を含むことができる。本開示の熱交換器３０はシステム１０での使用に限定されるものではないことを理解されたい。むしろ、熱交換機能を必要とするシステムにおける熱交換器３０の使用は、本開示の技術的範囲及び技術思想の範囲内にある。
【００１７】
熱交換器３０は、吸気流れ２２が圧縮機１２に流入する前に該吸気流れ２２を冷却するように構成することができる。例えば、熱交換器３０は、ガスタービン入口２０内に配置することができ、或いはガスタービン入口２０の上流又は下流に配置することができる。熱交換器３０は、それを通って吸気流れ２２及び熱交換媒体３２が流れるのを可能にしかつ吸気流れ２２及び熱交換媒体３２の相互作用を可能にして、吸気流れ２２が圧縮機１２に流入する前に該吸気流れ２２を冷却することができる。例示的な実施形態では、熱交換媒体３２は、水とすることができる。それに代えて、熱交換媒体３２は、好適な流体とすることができ、好ましくは好適な液体とすることができる。
【００１８】
例示的な実施形態では、熱交換器３０は、直接接触熱交換器３０とすることができる。熱交換器３０は、熱交換媒体入口３４、熱交換媒体出口３６及び媒体パッド３８を含むことができる。入口３４は、熱交換媒体３２を媒体パッド３８に流すことができる。例えば、一実施形態では、入口３４は、１つ又は複数のノズルとすることができる。出口３６は、媒体パッド３８から排出された熱交換媒体３２を受けることができる。例えば、一実施形態では、出口３６は、熱交換媒体３２の流れの方向において媒体パッド３８の下流に配置されたサンプとすることができる。例示的な実施形態では、熱交換媒体３２は、入口３４から媒体パッド３８を通してほぼ下向き方向に導くことができ、吸気流れ２２は、熱交換器３０を通して、熱交換媒体３２の流れの方向に対してほぼ直角な方向に導くことができる。
【００１９】
幾つかの実施形態では、吸気流れ２２の方向において媒体パッド３８の上流に、フィルタ４２を配置することができる。フィルタ４２は、吸気流れ２２が媒体パッド３８に流入する前に該吸気流れ２２から粒状物質を除去し、従って粒状物質がシステム１０に流入するのを防止するように構成することができる。それに代えて又はそれに加えて、フィルタ４２は、吸気流れ２２の方向において媒体パッド３８の下流に配置することができる。フィルタ４２は、吸気流れ２２がシステム１０に流入する前に該吸気流れ２２から粒状物質を除去するように構成することができる。
【００２０】
幾つかの実施形態では、吸気流れ２２の方向において媒体パッド３８の下流に、ドリフト除去装置４４を配置することができる。ドリフト除去装置４４は、吸気流れ２２がシステム１０に流入する前に該吸気流れ２２から熱交換媒体３２の液滴を除去するように作用することができる。
【００２１】
幾つかの実施形態では、熱交換器３０は、潜熱つまり蒸発冷却により吸気流れ２２を冷却するように構成することができる。潜熱冷却というのは、空気のような気体から熱を除去して、気体の水分含有量の変化を生じさせるような冷却方法を意味する。潜熱冷却には、気体を冷却するための周囲温度における液体の蒸発が含まれる。潜熱冷却は、気体をその湿球温度近くに冷却するために利用することができる。
【００２２】
別の実施形態では、熱交換器３０は、顕熱冷却により吸気流れ２２を冷却するように構成することができる。顕熱冷却というのは、空気のような気体から熱を除去して、気体の乾球及び湿球温度の変化を生じさせるような冷却方法を意味する。顕熱冷却には、液体を冷却し、次に冷却した液体を使用して気体を冷却する方法が含まれる。顕熱冷却は、気体をその湿球温度以下に冷却するために利用することができる。
【００２３】
潜熱冷却及び顕熱冷却は、相互排他的な冷却方法ではなく、独立してか又は組合せてかのいずれかで適用することができることを理解されたい。さらに、本開示の熱交換器３０は、潜熱冷却及び顕熱冷却に限定されるものではなく、好適な冷却又は加熱方法により吸気流れ２２を冷却又は加熱することができることを理解されたい。
【００２４】
次に図２を参照すると、本開示の一実施形態による媒体パッド３８を示している。媒体パッド３８は、少なくとも１つの又は複数の媒体シート５０を含むことができる。媒体シート５０は、互いに間隔を置いて配置されて、それらの間に複数の吸気流れ通路５２を画成することができる。従って、複数の吸気流れ通路５２の各々は、それを通して吸気流れ２２を流すように構成することができる。例えば、媒体パッド３８に流入する吸気流れ２２は、吸気流れ通路５２を通って流れることができる。さらに、下記に説明するように、複数の媒体シート５０の各々は、それを通して熱交換媒体３２を流すように構成することができる。従って、複数の媒体シート５０、従って媒体パッド３８は、吸気流れ２２が熱交換媒体３２と相互作用して、該吸気流れ２２を冷却又は加熱できるようにしてもよい。
【００２５】
媒体パッド３８はさらに、複数のスペーサ５４を含むことができる。スペーサ５４は、吸気流れ通路５２を少なくとも部分的に形成することができる。例えば、スペーサ５４の各々は、少なくとも１つの媒体シート５０、幾つかの実施形態では複数の媒体シート５０と組合せることができる。図２に示すような一実施形態では、スペーサ５４は、媒体シート５０内に形成されたアパーチャ５６により該媒体シート５０に締結することができる。それに加えて又はそれに代えて、スペーサ５４は、下記に説明するように、接合により又は好適な締結装置により媒体シート５０に締結することができる。スペーサ５４は一般的に、関連する媒体シート５０及び他の媒体シート５０間で延在して、媒体シート５０を互いに間隔を置いて配置させ、従って吸気流れ通路５２を少なくとも部分的に形成することができる。
【００２６】
媒体パッド３８はさらに、複数のマウント５８を含むことができる。一実施形態では、図２に示すように、マウント５８の各々は、媒体シート５０の１つと組合せることができる。一般的に、マウント５８は、媒体シート５０、従って媒体パッド３８を熱交換器３０内に取付けることができる。さらに、マウント５８は、媒体シート５０の簡単かつ効率的な現場での据付け及び交換できるようにする。図示するように、マウント５８は各々、スロット６０を含むことができる。スロット６０は、上記に説明したように媒体シート５０の取付けができるように設けることができる。それに加えて又はそれに代えて、マウント５８は各々、熱交換器３０内に媒体シート５０を取付けることができる好適な取付け装置を含むことができる。
【００２７】
スペーサ５４及びマウント５８はさらに、媒体シート５０を熱交換器内でまた必要に応じて互いに調整可能にすることができる。例えば、夏季又は日中の間におけるような比較的より高温の期間の間におけるシステム１０の運転時に、スペーサ５４及びマウント５８を利用して、吸気流れ２２の最適な冷却又は加熱を行なうように媒体シート５０、従って媒体パッド３８を位置決めすることができる。しかしながら、冬季又は夜間の間におけるような比較的より低温の期間の間には、吸気流れ２２の冷却又は加熱が必要でない可能性がある。これらの状況では、スペーサ５４を取外しかつ／又はマウント５８を利用して、吸気流れ２２の流路から媒体シート５０の位置を調整することができる。従って、媒体シート５０及び媒体パッド３８は、必要に応じてシステム１０の最適かつ効率的な性能に合せて調整可能とすることができる。
【００２８】
図３〜図６は、本開示の媒体シート５０の様々な実施形態を示している。例えば、媒体シート５０は、第１の外表面７２を有する第１の層７０と、第２の外表面７６を有する第２の層７４とを含むことができる。さらに、媒体シート５０は、第１の層７０及び第２の層７４間に１つ又は複数の内側層（図示せず）を含むことができる。例示的な実施形態では、層７０，７４の各々は、媒体材料の別個のシートとすることができる。それに代えて、層７０，７４は、例えば折り畳んで様々な層７０，７４を形成することができる媒体材料の単一シートの一部分とすることができ、或いは層７０，７４は、シートの厚さにわたって該シートを切断することによるようなシートを層に分割して媒体シート５０の様々な部分を形成し、従って該層７０，７４を形成することによって、媒体材料の単一シートから製作することができる。
【００２９】
第１及び第２の層７０，７４は一般的に、媒体シート５０の周辺部を画成することができる。例示的な実施形態では、媒体シート５０は、ほぼ矩形とすることができる。しかしながら、それに代えて、媒体シート５０は、例えば円形、長円形、三角形その他の好適な多角形とすることができる。
【００３０】
媒体シート５０は、一般的にポリマー繊維系の媒体シート５０とすることができ、後述の通り濡れ性にすることができる。例えば、媒体シート５０は、ポリアクリレート、ポリアミド（例えば、ナイロンのような）、ポリエステル、ポリカーボネート、ポリイミド、ポリスチレン、ポリエチレン、ポリビニル、ポリオレフィンその他の好適なポリマー繊維で形成することができる。さらに、媒体シート５０は、例えば織布製品又は不織布製品とすることができ、例えばウェットレイイング、スピンレイイング、エアレイイング、スピンブローイング、メルトブローイング、ウィービング、ニッティング及び／又はソーイングを含む好適な方法を使用して形成することができる。従って、媒体パッド３８は一般的に、多様な熱交換媒体３２と共に利用することができまた熱交換媒体３２の性質に敏感でないものとすることができる。例えば、一実施形態では、熱交換媒体３２は純水とすることができまた純水は不純物を必要としないものとすることができる。言うまでもなく、清浄でない水或いはその他の好適な純粋又は清浄でない流体は、熱交換媒体３２として利用することができることを理解されたい。従って、さらに媒体パッド３８は一般的に、大量の熱交換媒体３２が供給された時に、崩壊又は溶解を生じないでその構造的一体性を維持することができる。
【００３１】
さらに、媒体シート５０は、コポリマーで形成することができかつさらに複合材媒体シート５０とすることができることを理解されたい。例えば、媒体シート５０は、例えば鋼、アルミニウム、黄銅、或いはその他の１つ又は複数の金属合金のような好適な金属、若しくは例えばガラス或いはその他のセラミックス又はセラミック複合材のようなセラミックスを含むことができる。金属及び／又はセラミックスは、例えばポリマー繊維系の媒体シート５０内に埋め込まれて有利な熱交換媒体３２の分散特性又は強度特性をもたらすストランドとすることができる。
【００３２】
第１及び第２の層７０，７４は、それらの間で延在する複数の通路８０を画成することができる。例えば、通路８０は、図２〜図６に示すように第１及び第２の層７０，７４の両方によって形成することができ、或いは第１及び第２の層７０，７４の１つ並びに内側層によって形成することができる。通路８０は、それを通して熱交換媒体３２を流すように構成することができる。さらに、通路８０内の熱交換媒体３２は、下記に説明するように該通路８０を通って流れかつ媒体シート５０の残りの部分に流れ、従って該媒体シート５０の残りの部分を濡れさせることができる。
【００３３】
通路８０は、媒体シート５０を通って多様な方向及びパターンで延在することができる。例えば、図２に示すような一実施形態では、通路８０は、シャープ「ジグザグ」パターンで媒体シート５０を通ってほぼ垂直方向に延在する。図３に示す別の実施形態では、通路８０は、スムーズ「ジグザグ」パターンで媒体シート５０を通ってほぼ垂直方向に延在する。図４は、通路８０が角度αで媒体シート５０を通ってほぼ対角線方向に延在する別の実施形態を示している。通路８０は、例えば０°（ほぼ水平方向）〜９０°（ほぼ垂直方向）の角度のような角度αで媒体シート５０を通って延在することができることを理解されたい。
【００３４】
図５は、通路８０が媒体シート５０を通ってほぼ対角線方向に延在しかつ様々な通路８０が流体連結された別の実施形態を示す。例えば、媒体シート５０を通ってほぼ対角線方向に延在する通路８０は、媒体シート５０上の様々なポイントで交差することができかつこれらのポイントにおいて流体連結することができる。図６は、通路８０が媒体シート５０を通ってほぼ垂直方向に延在しかつ様々な通路８０が絞り部分８２を含む別の実施形態を示している。絞り部分８２は、通路８０の残りの部分よりも一般的に小さい直径又は幅を有する通路８０の一部分とすることができる。絞り部分８２は、媒体シート５０を通る熱交換媒体３２の流れを調整するように設けることができる。
【００３５】
通路８０は、好適なパターンを有することができまたそれを通して熱交換媒体３２を流すようになった好適な寸法のものとすることができる。加えて、通路８０は、テーパ付きとすることができ通路８０の長さに沿ってその他の修正及び変更を有することができることを理解されたい。さらに、通路８０は、媒体シート５０の周辺部７８に延在することができ又は媒体シート５０を通って部分的にのみ延在するが周辺部７８に到達しないものとすることができることを理解されたい。最後に、各通路８０は、他の様々な通路から変化させることができること、及び媒体シート５０内に形成された通路８０は、同一である必要がないことを理解されたい。
【００３６】
例示的な実施形態では、複数の通路８０の少なくとも一部分は各々、入口開口部８４を含むことができる。入口開口部８４は、熱交換媒体３２を受けるように構成することができる。例えば、入口３４から媒体パッド３８に流れる熱交換媒体３２の少なくとも一部分は様々な入口開口部８４に導くことができる。熱交換媒体３２は、入口開口部８４によって受けて通路８０を通して流すことができる。
【００３７】
第１及び第２の外表面７２，７６の少なくとも１つ並びに例示的な実施形態では該第１及び第２の外表面７２，７６の両方は、複数の陥凹部９０を含むことができる。陥凹部９０は一般的に、それらの間に複数の通路８０を画成することができる。例えば、例示的な実施形態では、陥凹部９０は、接合、モールディング、成形又は引抜き、或いはその他の取付け又は製作方法により形成することができ、陥凹部９０を画成しない得られた媒体シート５０の部分は通路８０を画成する。それに代えて、通路８０は、例えば媒体シート５０の厚さにわたって該媒体シート５０内に通路８０を切削することによって形成することができる。通路８０を含まない媒体シート５０の残りの部分は、陥凹部９０を含むと考えることができる。
【００３８】
上記に説明したように、陥凹部９０は、接合、モールディング、成形又は引抜き、或いは第１の層７０及び第２の層７４を含む媒体シート５０の様々な層を取付け又は製作するその他の好適な方法により形成することができる。例えば、接合には、熱接合、物理的又は機械的接合（圧接によるような）、超音波ボンディング、化学的接合、或いはウィービング、ニッティング、ニードリング又はソーイング、或いは接着剤の使用による接合を含むことができる。成形には、例えば冷間成形、ロール成形、真空成形、又は熱成形を含むことができる。接合、モールディング、成形又は引抜き、或いは媒体シート５０の様々な層を取付け又は製作するその他の方法を使用して陥凹部９０を形成することにより、それらの間に通路８０を画成することができる。
【００３９】
媒体シート５０内に形成された複数の陥凹部９０は、入口陥凹部９２及び出口陥凹部９４を含むことができる。入口及び出口陥凹部９２、９４は、媒体シート５０の周辺部７８に隣接して形成した陥凹部とすることができる。例えば、入口陥凹部９２は、吸気流れ２２が媒体シート５０及び媒体パッド３８と最初に相互作用する箇所のような、該吸気流れ２２に対する該媒体シート５０の上流端縁部において周辺部７８に隣接して形成することができる。出口陥凹部９４は、吸気流れ２２が媒体シート５０及び媒体パッド３８から流出することができる箇所のような、該吸気流れ２２に対する該媒体シート５０の下流端縁部において周辺部７８に隣接して形成することができる。入口及び出口陥凹部９２、９４は、吸気流れ２２が媒体パッド３８を通って移動する時に該吸気流れ２２に関連する圧力降下を少なくすることができ、かつ／又は吸気流れ２２に乱流を発生させるなどによって該吸気流れ２２及び熱交換媒体３２の熱伝達及び混合を助けるような形状とすることができる。ある例示的な実施形態では、出口チャネル９４はさらに、熱交換媒体３２が媒体パッド３８から排出される前に、吸気流れ２２が該熱交換媒体３２を捕捉するように構成することができる。
【００４０】
例示的な実施形態では、媒体シート５０は濡れ性とすることができる。従って、媒体シート５０は、熱交換媒体３２が該媒体シート５０と接触状態を維持することができ、さらに該媒体シート５０全体に拡散できるように成形することができる。さらに、媒体シート５０は、親水性かつ／又は多孔性とすることができる。従って、媒体シート５０は一般的に、該媒体シート５０の表面積全体にわたって熱交換媒体３２を受け、吸着し、流しかつ分散させる。例えば、入口３４によって供給されるなどのような、媒体シート５０に供給された熱交換媒体３２は、該媒体シート５０を濡れさせかつ該媒体シート５０を通って流れる。例示的な実施形態では、熱交換媒体３２は、媒体シート５０の表面積全体にわたって比較的均一に分散させて、熱交換媒体３２におけるドライスポットを減少又は排除することができる。さらに、入口開口部８４を通って通路８０内に流れた熱交換媒体３２は、通路８０を通って流れ、陥凹部９０内に流れかつ該陥凹部９０を通って流れることができ、陥凹部９０を通って流れた熱交換媒体３２は、該陥凹部９０から通路８０内に流れることができる。
【００４１】
一般的に、通路８０は、陥凹部９０と比較して媒体シート５０の隆起部分とすることができる。例えば、通路８０は、陥凹部９０と比較して、第１の層７０及び第１の外表面７２の隆起部分とすることができ、かつ／又は第２の層７４及び第２の外表面７６の隆起部分とすることができる。従って、媒体シート５０間の吸気流れ通路５２はさらに、陥凹部９０及び隆起通路８０によって形成することができる。従って、吸気流れ通路５２は、媒体パッド３８を通る乱流吸気流れ２２を促進して、吸気流れ２２及び熱交換媒体３２間の熱交換を強化する利点を有することができる。さらに、上記に説明したように、入口陥凹部９２及び出口陥凹部９４は、媒体パッド３８を通る吸気流れ２２に関連する圧力降下を少なくすることができる。
【００４２】
従って、本開示の媒体パッド３８は、吸気流れ２２のより効率的な冷却及び加熱を行なうことができる。加えて、媒体パッド３８は、多様な熱交換媒体３２で利用することができ、かつ熱交換媒体３２の性質に敏感でないものにすることができる。最後に、本開示の媒体パッド３８は、大量の熱交換媒体３２が供給された時にその構造的一体性を維持することができ、該媒体パッド３８及びその中の媒体シート５０の表面積全体にわたって熱交換媒体３２を吸着し、流しかつ分散させ、従って危険なドライスポットの発生可能性を排除しかつ吸気流れ２２の冷却及び加熱を促進する利点を有することができる。
【００４３】
本明細書は最良の形態を含む実施例を使用して、本発明を開示し、当業者が、装置又はシステムを製作しかつ使用しまた組込み方法を実行することを含む本発明の実施を行なうことを可能にもする。本発明の特許性がある技術的範囲は、特許請求の範囲により定めており、当業者が想到するその他の実施例を含むことができる。そのようなその他の実施例は、それらが特許請求の範囲の文言と相違しない構造的要素を含むか又はそれらが特許請求の範囲の文言と本質的でない相違を有する均等な構造的要素を含む場合には、特許請求の範囲の技術的範囲内に属することになることを意図している。
【符号の説明】
【００４４】
１０  ガスタービンシステム
１２  圧縮機
１４  燃焼器
１６  タービン
１８  シャフト
２０  ガスタービン入口
２２  吸気流れ
２４  排出出口
２６  排気流れ
３０  熱交換器
３２  熱交換媒体
３４  熱交換媒体入口
３６  熱交換媒体出口
３８  媒体パッド
４２  フィルタ
４４  ドリフト除去装置
５０  媒体シート
５２  吸気流れ通路
５４  スペーサ
５６  アパーチャ
５８  マウント
６０  スロット
７０  第１の層
７２  第１の外表面
７４  第２の層
７６  第２の外表面
７８  周辺部
８０  通路
８２  絞り部分
８４  入口開口部
９０  陥凹部
９２  入口陥凹部
９４  出口陥凹部
α  角度
【図１】
0006030823.tif 000002
【図２】
0006030823.tif 000003
【図３】
0006030823.tif 000004
【図４】
0006030823.tif 000005
【図５】
0006030823.tif 000006
【図６】
0006030823.tif 000007